(57)【要約】      （修正有）【課題】バージ船搭載式海水淡水化プラント及びその設置方法を提供する。【解決手段】海上に浮いて移動するように構成されたバージ船１０上に、海から海水を引き込んで淡水化させる海水淡水化プラント２０が搭載されてなることを特徴とするバージ船搭載式海水淡水化プラント１と、前記バージ船搭載式海水淡水化プラントを重量物運搬船２に乗せるか、発電プラントを追加して重量物運搬船に載せて引き船によって曵いて水不足地域や電気不足地域又は島地域の海岸に設置することを特徴とするバージ船搭載式海水淡水化プラントの設置方法が開示される。【選択図】図５
2013151285.tif 000002
【特許請求の範囲】
【請求項１】
海上に浮いて移動するように構成されたバージ船上に、海から海水を引き込んで淡水化させる海水淡水化プラントが搭載されてなるバージ船搭載式海水淡水化プラントを実際の使用場所に設置する方法であり、
前記バージ船搭載式海水淡水化プラントを、重量物運搬船に載せて引き船によって曵いて、水不足地域や島地域の海岸に隣接する場所に固定して設置するにあたり、前記バージ船を、海岸に隣接する海上で錨を用いて停泊させる方式、固定物を用いて海底面に固定させる方式、または、海岸に隣接する陸地に埋め込む方式、のうちいずれか一つの方式で設置することを特徴とするバージ船搭載式海水淡水化プラントの設置方法。
【請求項２】
水不足地域や島地域の海岸に隣接する陸地には淡水貯蔵タンクが設置され、
前記バージ船搭載式海水淡水化プラントで生産された淡水は前記淡水貯蔵タンクに貯蔵されることを特徴とする請求項１に記載のバージ船搭載式海水淡水化プラントの設置方法。
【請求項３】
前記バージ船には、発電プラントがさらに搭載されることを特徴とする請求項１または請求項２に記載のバージ船搭載式海水淡水化プラントの設置方法。
【発明の詳細な説明】
【技術分野】
【０００１】
本発明は海水を淡水化させる海水淡水化プラント及びその設置方法に関し、さらに詳しくは、このような海水淡水化プラントが海上に浮いて移動するように構成されたバージ船搭載式海水淡水化プラント及びその設置方法に関する。
【背景技術】
【０００２】
近年、全世界の人口が増加し、産業が発展することにより、生活の質を向上させるための水の使用量が増加傾向にある。しかし、人間が使用可能な水資源は地球全域に分布する水の３％以内に限定されており、それすらも、水質汚染の拡散などによって供給潜在力が急減することによって水資源不足が深化し、国際紛争の原因になることもある。
【０００３】
だが、地球表面の３／４以上を占め、地球上に存在する水の９７％に該当する海水を淡水化して人間の生活に使用可能にする技術、すなわち海水淡水化技術を実用化すれば、不足する水の使用問題に対する代案になり得るはずである。
【０００４】
そこで、最近、先進国と水不足の国を中心に海水淡水化技術に対する多くの研究が進められている。そのうち、蒸発法を利用した海水淡水化技術、逆浸透法を利用した海水淡水化技術及び蒸発法と逆浸透法を複合した方法に研究が集中している。
【０００５】
そして、海水淡水化プラントは、一般に、陸上固定式で建設されるが、このような陸上固定式海水淡水化プラントは、移動が不可能で、建設用地の購入費用及び基礎工事費用が多くかかると共に、建設時間が長くかかり、一度建設するとその場所でしか使用ができない制限があるという問題点がある。
【０００６】
また、陸上固定式海水淡水化プラントを建設しようとする水不足地域や島地域は、一般に、気象条件や作業条件が厳しく、陸上固定式海水淡水化プラントを建設することが困難である。
【０００７】
また、陸上固定式海水淡水化プラントを建設しようとする現地で、建設エンジニアを含む作業人材の確保が難しいという問題点がある。
【０００８】
また、陸上固定式海水淡水化プラントの建設によって山林が破壊され、施設周辺が汚染されるなどの環境汚染の問題点がある。
【０００９】
また、上記のような地域は淡水のみならず電気も不足している場合が多く、電気を生成するための発電プラントを陸上固定式で建設すると、上述と同様の問題点が発生する。
【発明の概要】
【発明が解決しようとする課題】
【００１０】
したがって、本発明は、このような従来技術の問題点を解決するためのものであり、海水を淡水化させる海水淡水化プラントが海上に浮いて移動するように構成されたバージ船搭載式海水淡水化プラントを提供することをその主な目的とする。
【課題を解決するための手段】
【００１１】
上記の目的を達成するための本発明の一側面によれば、海上に浮いて移動するように構成されたバージ船上に、海から海水を引き込んで淡水化させる海水淡水化プラントが搭載されてなることを特徴とするバージ船搭載式海水淡水化プラントが提供される。
【００１２】
前記バージ船は内部に空気チャンバが形成された複数のブロックを互いに組み立ててなることが好ましい。
【００１３】
前記ブロックはスチール材質であるのが好ましい。
【００１４】
前記海水淡水化プラントは蒸発式海水淡水化プラントであり、前記蒸発式海水淡水化プラントは、海水を前記蒸発式海水淡水化プラント内へ強制的に導入する海水導入器と、海水を蒸発させて発生する蒸気を再び凝縮させて凝縮水を集めることで淡水を生産する蒸発器と、を含むことが好ましい。
【００１５】
前記海水導入器には、海水と共に流入する生物体が海水の通路を塞ぐことを防止するために、前記海水導入器内へ塩素ガスを注入する塩素ガス注入器が連結されることが好ましい。
【００１６】
前記蒸発器の前段（上流側）には、前記蒸発器で海水を蒸発させる前に化学薬品を海水に注入して海水に化学薬品処理を行う化学薬品前処理器が設置されることが好ましい。
【００１７】
前記蒸発器には、海水を蒸発させるために必要な熱を供給する熱源としてボイラーが連結されることが好ましい。
【００１８】
前記蒸発器の後段（下流側）には、前記蒸発器で生産された蒸溜水にミネラルを添加して飲料水基準に合わせるミネラル添加器が設置されることが好ましい。
【００１９】
前記海水淡水化プラントは逆浸透式海水淡水化プラントであり、前記逆浸透式海水淡水化プラントは、海水を前記逆浸透式海水淡水化プラント内へ強制的に導入する海水導入器と、海水に逆浸透方式で圧力を加えて淡水を生産する逆浸透モジュールと、を含むことが好ましい。
【００２０】
前記海水導入器の後段には、海水を前記逆浸透モジュールの逆浸透膜の要求水質に合わせるために、二層ろ過フィルターが設置されることが好ましい。
【００２１】
前記二層ろ過フィルターには、前記二層ろ過フィルターを逆洗浄するための逆洗浄水を貯蔵する逆洗浄水貯蔵タンクと、前記二層ろ過フィルターを逆洗浄した後の汚染された逆洗浄水を処理する汚水処理タンクと、が連結されることが好ましい。
【００２２】
前記逆浸透モジュールの前段には、前記逆浸透モジュールで海水に逆浸透方式で圧力を加える前に化学薬品を海水に注入して海水に化学薬品処理を行う化学薬品前処理器が設置されることが好ましい。
【００２３】
前記逆浸透モジュールには、海水に圧力を加えるために必要な圧力を供給する圧力供給源として高圧ポンプが連結されることが好ましい。
【００２４】
前記化学薬品前処理器と前記逆浸透モジュールとの間には、前記逆浸透モジュールの逆浸透膜と前記高圧ポンプを保護するための安全フィルターとが設置されることが好ましい。
【００２５】
前記海水淡水化プラントで大容量発電または海水から淡水への高い転換率を所望する時は、前記蒸発式海水淡水化プラントと前記逆浸透式海水淡水化プラントが共に構成された複合式淡水化システムを利用して淡水を生産することが好ましい。
【００２６】
造船所で前記バージ船と前記海水淡水化プラントとがそれぞれ製造された後、前記バージ船上に前記海水淡水化プラントが搭載されることが好ましい。
【００２７】
前記海水淡水化プラントが設置されたバージ船に発電プラントを搭載すると、発電プラントから出る電気と蒸気を海水淡水化に有用に使用することができ、さらに周辺地域に剰余電力を供給することができるので、発電プラントを追加的に設置することが好ましい。
【００２８】
前記バージ船には、造船所で製造された発電プラントがさらに搭載されることが好ましい。
【００２９】
また、上記の目的を達成するための本発明の他の一側面によれば、海上に浮いて移動するように構成されたバージ船上に、海から海水を引き込んで淡水化させる海水淡水化プラントが搭載されてなるバージ船搭載式海水淡水化プラントを実際の使用場所に設置する方法として、前記バージ船搭載式海水淡水化プラントを、重量物運搬船に載せて引き船によって曵いて、水不足地域や島地域の海岸に設置することを特徴とするバージ船搭載式海水淡水化プラントの設置方法が提供される。
【００３０】
前記バージ船搭載式海水淡水化プラントの前記バージ船を、水不足地域や島地域の海岸に隣接する海上に浮遊させた状態で、錨を用いて停泊させることが好ましい。
【００３１】
前記バージ船搭載式海水淡水化プラントの前記バージ船を、水不足地域や島地域の海岸に隣接する海上に浮遊させた状態で、固定物を用いて海底面に固定させることが好ましい。
【００３２】
前記バージ船搭載式海水淡水化プラントの前記バージ船を水不足地域や島地域の海岸に隣接する陸地に埋め込むことが好ましい。
【００３３】
水不足地域や島地域の海岸に隣接する陸地には、淡水貯蔵タンクが設置され、前記バージ船搭載式海水淡水化プラントで生産された淡水は、前記淡水貯蔵タンクに貯蔵されることが好ましい。
【００３４】
前記バージ船には、発電プラントがさらに搭載されることが好ましい。
【発明の効果】
【００３５】
上述したように、本発明の実施形態によるバージ船搭載式海水淡水化プラントによれば、バージ船上に海水淡水化プラントが搭載される構成なので、建造した後に海上で移動できるので、水不足地域や島地域に設置されることによって場所と状況に応じて移動しながら使用することができ、また、従来の陸上固定式海水淡水化プラントにかかる建設用地の購入費用及び基礎工事費用に比べてバージ船の建造にかかる費用の方が少なくて済み、従来の方法に比べて建造時間が短縮される。また、造船所でバージ船搭載式海水淡水化プラントを完成させて設置場所へ移動するため、現地で建設エンジニアを含む作業人材を確保する負担が減少し、現地の気象条件や作業条件に関係なく建造することができる。また、海水淡水化プラントを設置しようとする地域の山林が破壊されることを回避することができ、施設周辺を汚染させる憂いが無くなるという長所がある。
【００３６】
また、海水淡水化プラントのみならず発電プラントも共にバージ船に搭載して、発電プラントで生産された電気又は水蒸気などを海水淡水化プラントに使用したり、余分な電気を陸上の電気需要先に供給したりすることもできるので、陸上の電気不足も解消しながら発電プラントから出る電気と水蒸気も效率的に使用することができる。
【図面の簡単な説明】
【００３７】
【図１】本発明の実施形態によるバージ船搭載式海水淡水化プラントの概略図である。
【図２】本発明の第１実施形態による海水淡水化プラントを構成する要素をブロックで表示したブロック構成図である。
【図３】本発明の第２実施形態による海水淡水化プラントを構成する要素をブロックで表示したブロック構成図である。
【図４】本発明の実施形態によるバージ船搭載式海水淡水化プラントを製造する過程を概略的に示す図である。
【図５】本発明の実施形態によるバージ船搭載式海水淡水化プラントを移動させる過程を示す図である。
【図６】本発明の実施形態によるバージ船搭載式海水淡水化プラントが実際の使用場所に設置された状態を示す図である。
【図７】本発明の実施形態によるバージ船搭載海水淡水化プラントが実際の使用場所に設置された状態を示す図である。
【図８】本発明の実施形態によるバージ船搭載海水淡水化プラントが実際の使用場所に設置された状態を示す図である。
【図９】本発明の実施形態による海水淡水化プラントに発電プラントがさらに搭載された構成を示す概略図である。
【発明を実施するための形態】
【００３８】
以下、添付した図面を参照して本発明の好ましい実施形態を説明する。
図１は、本発明の実施形態によるバージ船搭載式海水淡水化プラントの概略図である。図１に示すように、本発明の実施形態によるバージ船搭載式海水淡水化プラント１は、バージ船１０上に海水淡水化プラント２０が搭載されてなるものである。本実施形態でバージ船１０を含むバージ船搭載式海水淡水化プラントは符号「１」で表示し、バージ船１０上に搭載される海水淡水化プラントは符号「２０」で表示することにする。
【００３９】
バージ船１０は海上に浮いて移動するように構成されたもので、複数のブロック１１を互いに組み立ててなるものであり、ブロック１１の内部には空気チャンバ１３が形成されている。
このようなブロック１１はスチールで作られることが好ましい。
【００４０】
また、海水淡水化プラント２０は、海から海水を引き込んで淡水化させた後、使用場所へ供給する設備であり、蒸発法又は逆浸透法を用いて海水を淡水にする工程を行う。
【００４１】
図２は、本発明の第１実施形態による海水淡水化プラントを構成する要素をブロックで表示したブロック構成図である。本発明の第１実施形態による海水淡水化プラントは、蒸発法を用いて海水を淡水にする蒸発式海水淡水化プラントである。本明細書では、第１実施形態による蒸発式海水淡水化プラントを符号「２００」で表示することにする。
【００４２】
図２に示すように、蒸発式海水淡水化プラント２００は、海水導入器２０１と、塩素ガス注入器２０３と、化学薬品前処理器２０５と、蒸発器２０７と、ボイラー２０９と、ミネラル添加器２１１と、を含む。
【００４３】
海水導入器２０１は、淡水にしようとする源水である海水を蒸発式海水淡水化プラント２００内へ強制的に導入するための設備である。海水導入器２０１には、ポンプなどの液体強制導入手段が備わることがわかるはずである。
【００４４】
海水導入器２０１で海水を引き込む時に、海の中の魚、貝類、海藻類などの生物体が共に流入して海水の通路に付着及び生息して海水の通路を塞ぐようになるが、これを防止するために、海水導入器２０１には、その中へ塩素ガスを注入する塩素ガス注入器２０３が連結されている。これに要する塩素ガスは主に海水を電気分解して得る。
【００４５】
海水導入器２０１から導入した海水は、化学薬品前処理器２０５を経て蒸発器２０７に供給される。蒸発器２０７は、海水を蒸発させて発生する蒸気を再び凝縮させて凝縮水を集めることで淡水を生産する淡水化設備であり、外部から供給された熱と熱交換させて海水を蒸発させるための熱交換チューブと、凝縮器とを具備する。
【００４６】
このような蒸発器２０７は、海水を蒸発させて発生する蒸気を再び凝縮させる過程を何度も繰り返して凝縮水を集める多段フラッシュ蒸発（ＭＳＦ（Ｍｕｌｔｉ−Ｓｔａｇｅ  Ｆｌａｓｈ）  Ｄｉｓｔｉｌｌａｔｉｏｎ）方式であるのが好ましい。この場合、蒸発器２０７は２〜３つのステージを具備する。
【００４７】
化学薬品前処理器２０５は、蒸発器２０７の前段に設置され、蒸発器２０７で海水を蒸発させる前に化学薬品を海水に注入して海水に化学薬品処理を行う。化学薬品前処理器２０５で処理を行う化学薬品はスケール生成防止剤（Ａｎｔｉ−Ｓｃａｌｅ  Ａｇｅｎｔ）、消泡剤（Ａｎｔｉ−Ｆｏａｍ  Ａｇｅｎｔ）、脱酸素剤（Ｏｘｙｇｅｎ  Ｓｃａｖｅｎｇｅｒ）などである。
【００４８】
蒸発器２０７で海水を蒸発させるために海水の温度を高めると、海水に溶存するイオンのうち温度が高くなるほど溶解度が下がる物質が析出されて、蒸発器２０７内の熱交換チューブの内壁にスケール（Ｓｃａｌｅ）を形成するようになるが、スケール生成防止剤はこれを防止するための化学薬品である。
【００４９】
また、消泡剤は、後述する蒸発器２０７で蒸発している海水でバブルが生成されることを防止するための化学薬品であり、酸素除去剤は、海水に溶存する物質のうち腐食を誘発する酸素を除去するための化学薬品である。
【００５０】
化学薬品前処理器２０５には、化学薬品を貯蔵する化学薬品貯蔵タンク２０６が連結されている。
【００５１】
蒸発器２０７には、海水を蒸発させるために必要な熱を供給する熱源としてボイラー２０９が連結されている。ボイラー２０９では蒸気を作って蒸発器２０７へ供給し、このように蒸発器２０７へ供給された蒸気は、蒸発器２０７内で海水と熱交換して海水を蒸発させる。
【００５２】
ボイラー２０９で蒸気を作るために使用される水は、機器の損傷を防止するために空気が完全に除去されていなければならず、このためにボイラー２０９には、脱気器（Ｄｅ−ａｅｒａｔｏｒ）２１０が連結されている。
【００５３】
蒸発器２０７の後段には、ミネラル添加器２１１が設置されている。蒸発器２０７で生産された水は、蒸溜水で飲料水（上水道水）としての使用には適さないが、ミネラル添加器２１１は、蒸発器２０７で生産された蒸溜水にミネラルを添加して飲料水基準に合わせる設備である。
【００５４】
ミネラル添加器２１１を経た淡水は、図６乃至図８に示すように、陸地に設置された淡水貯蔵タンク７に貯蔵される。
【００５５】
淡水貯蔵タンク７は、海水淡水化プラント２０で生産された淡水を貯蔵する水タンクとして、通常１日生産量以上の淡水を貯蔵する。淡水貯蔵タンク７に貯蔵された淡水は、高圧の大型ポンプによって使用場所（都市、村、工場など）へ供給される。
【００５６】
このような海水導入器、塩素ガス注入器、化学薬品前処理器、蒸発器、ミネラル添加器は公知の技術であるので、本明細書では、その構成及び作動関係に対するさらに詳しい説明は省略する。
【００５７】
図３は、本発明の第２実施形態による海水淡水化プラントを構成する要素をブロックで表示したブロック構成図である。本発明の第２実施形態による海水淡水化プラントは、逆浸透法を用いて海水を淡水にする逆浸透式海水淡水化プラントである。本明細書では、第２実施形態による逆浸透式海水淡水化プラントを符号「３００」で表示することにする。
【００５８】
図３に示すように、逆浸透式海水淡水化プラント３００は、海水導入器３０１と、二層ろ過フィルター３０３と、逆洗浄水貯蔵タンク３０５と、汚水処理タンク３０７と、化学薬品前処理器３０９と、安全フィルター３１１と、逆浸透モジュール３１３と、高圧ポンプ３１５と、を含む。
【００５９】
海水導入器３０１は、淡水にしようとする源水である海水を逆浸透式海水淡水化プラント３００内へ強制的に導入するための設備である。海水導入器３０１にはポンプなどの液体強制導入手段が備わることがわかるはずである。
【００６０】
海水導入器３０１で引き込んだ海水を逆浸透モジュール３１３の逆浸透膜の要求水質に合わせるために、海水導入器３０１の後段には、二層ろ過フィルター（Ｄｕａｌ  Ｍｅｄｉａ  Ｆｉｌｔｅｒ）３０３が設置されている。二層ろ過フィルター３０３は、海水からコロイド（Ｃｏｌｌｏｉｄ）、浮遊物質などを除去する。
【００６１】
逆浸透式海水淡水化プラント３００では二層ろ過フィルター３０３に蓄積されたコロイド、浮遊物質などを周期的に逆洗浄することになるが、このために二層ろ過フィルター３０３には、逆洗浄水を貯蔵する逆洗浄水貯蔵タンク３０５が連結されている。
【００６２】
また、二層ろ過フィルター３０３を逆洗浄した後の汚染された逆洗浄水は、二層ろ過フィルター３０３に連結された汚水処理タンク３０７へ送られる。汚水処理タンク３０７では、汚水を環境規制値に合わせて処理した後に排出する。
【００６３】
二層ろ過フィルター３０３を経た海水は、再び化学薬品前処理器３０９及び安全フィルター３１１を経て逆浸透モジュール３１３に供給される。逆浸透モジュール３１３は、海水に逆浸透方式で圧力を加えて淡水を生産する淡水化設備であり、逆浸透膜とメンブレン圧力容器を具備する。
【００６４】
化学薬品前処理器３０９は、逆浸透モジュール３１３の前段に設置され、逆浸透モジュール３１３で海水に逆浸透方式で圧力を加える前に化学薬品を海水に注入して海水に化学薬品処理を行う。化学薬品前処理器３０９で処理を行う化学薬品は凝集剤（Ｃｏａｇｕｌａｎｔ）、高分子凝集補助剤（Ｐｏｌｙｍｅｒ  Ｃｏａｇｕｌａｎｔ  Ａｉｄ）、硫酸（Ｈ２ＳＯ４；スケール抑制剤）、塩素除去剤（Ｄｅｃｈｌｏｒｉｎａｔｏｒ）、スケール防止剤（ａｎｔｉｓｃａｌａｎｔ）、水酸化ナトリウム（ＮａＯＨ；逆浸透膜のホウ素（Ｂｏｒｏｎ）除去効率を上げるため）などである。
【００６５】
化学薬品前処理器３０９には、化学薬品を貯蔵する化学薬品貯蔵タンク３１０が連結されている。
【００６６】
逆浸透モジュール３１３には、海水に圧力を加えるために必要な圧力を供給する圧力供給源として高圧ポンプ３１５が連結されている。
【００６７】
化学薬品前処理器３０９と逆浸透モジュール３１３との間には、安全フィルター３１１が設置されている。安全フィルター３１１は、逆浸透モジュール３１３の逆浸透膜と高圧ポンプ３１５とを保護するための安全フィルターである。
【００６８】
逆浸透モジュール３１３で生産された淡水は、図６乃至図８に示すように、陸地に設置された淡水貯蔵タンク７に貯蔵される。
【００６９】
淡水貯蔵タンク７は、海水淡水化プラント２０で生産された淡水を貯蔵する水タンクとして、通常１日生産量以上の淡水を貯蔵する。淡水貯蔵タンク７に貯蔵された淡水は高圧の大型ポンプによって使用場所（都市、村、工場など）へ供給される。
【００７０】
このような海水導入器、二層ろ過フィルター、逆洗浄水貯蔵タンク、汚水処理タンク、化学薬品前処理器、安全フィルター、逆浸透モジュールは公知の技術であるので、本明細書では、その構成及び作動関係に対するさらに詳しい説明は省略する。
【００７１】
図４は、本発明の実施形態によるバージ船搭載式海水淡水化プラントを製造する過程の概略図である。図４に示すように、本発明の実施形態によるバージ船搭載式海水淡水化プラント１は造船所３で製造される。
【００７２】
造船所３でバージ船１０と海水淡水化プラント２０がそれぞれ製造された後バージ船１０上に海水淡水化プラント２０が搭載される。
【００７３】
図５は、本発明の実施形態によるバージ船搭載式海水淡水化プラントを移動させる過程を示す図である。図５に示すように、造船所３でバージ船１０上に海水淡水化プラント２０が搭載されてなるバージ船搭載式海水淡水化プラント１は、重量物運搬船２（Ｈｅａｖｙ  ｌｉｆｔ  Ｖｅｓｓｅｌ）に載せられて、引き船２ａによって実際の使用場所まで曳かれる。
【００７４】
図６乃至図８は、本発明の実施形態によるバージ船搭載式海水淡水化プラントが実際の使用場所に設置された状態を示す図である。
【００７５】
バージ船１０上に海水淡水化プラント２０が搭載されてなる本発明の実施形態によるバージ船搭載式海水淡水化プラント１は、引き船２ａによって曳かれて、水不足地域や島地域の海岸に設置されて、稼働される。
【００７６】
図６は、引き船２ａによって曳かれたバージ船搭載式海水淡水化プラント１のバージ船１０が、水不足地域や島地域の海岸に隣接する海上に浮遊する状態で、錨４を用いて停泊している状態を図示している。錨４は、バージ船１０から下されて海底面に打ち込まれることで、バージ船１０を停泊させる。
【００７７】
水不足地域や島地域の海岸に隣接する陸地は図面で符号「５」で表示されている。
【００７８】
図７は、引き船２ａによって曳かれたバージ船搭載式海水淡水化プラント１のバージ船１０が、水不足地域や島地域の海岸に隣接する海上に浮遊する状態で、固定物６を用いて海底面に固定された状態を図示している。固定物６は、バージ船１０の底面と海底面の間に設置されて、バージ船１０の底面を海底面に支持、固定する支持台である。
【００７９】
図８は、引き船２ａによって曳かれたバージ船搭載式海水淡水化プラント１のバージ船１０が、水不足地域や島地域の海岸に隣接する陸地に埋め込まれた状態を図示している。図８では、水不足地域や島地域の海岸に隣接する陸地にバージ船埋め込み用穴８を掘って、バージ船搭載式海水淡水化プラント１のバージ船１０を埋め込んでいる。
【００８０】
図６乃至図８に示すように、水不足地域や島地域の海岸の陸地には、淡水貯蔵タンク７が設置されており、バージ船搭載式海水淡水化プラント１で生産された淡水は、淡水供給パイプライン９を通して淡水貯蔵タンク７に供給される。また、海水は、海水導入パイプライン１１を通して海から海水淡水化プラント１へ導入される。
【００８１】
図９の（ａ）、（ｂ）は、本発明の第１実施形態、第２実施形態による海水淡水化プラントに、発電プラントがさらに搭載された構成をそれぞれ示す概略図である。本発明の第１実施形態による海水淡水化プラントは、蒸発法を用いて海水を淡水にする蒸発式海水淡水化プラントであり、本発明の第２実施形態による海水淡水化プラントは、逆浸透法を用いて海水を淡水にする逆浸透式海水淡水化プラントである。
【００８２】
図９に示すように、蒸発式海水淡水化プラント２０と逆浸透式海水淡水化プラント３０とは、それぞれ発電プラント４０が共にバージ船に搭載される。
【００８３】
発電プラント４０は、陸上の燃料供給元から燃料（石炭、ディーゼル、ＬＮＧ、ＬＰＧなど）を受け入れてこれを燃焼させて電気を生成し、その過程で高温のガス、蒸気などが発生する。
【００８４】
発電プラント４０で生産された電気は、蒸発式又は逆浸透式海水淡水化プラント２０、３０の種々の装備や勤務者の作業・住居空間であるリビングクォーター（ｌｉｖｉｎｇ  ｑｕａｒｔｅｒ）に供給され、余分な電気は近くの陸上の電気需要先に供給され得る。
【００８５】
また、図９（ａ）のように、蒸発式海水淡水化プラント２０の場合には、発電プラント４０で発生する高温のガスや蒸気などを利用することもでき、海水淡水化プラント２０で海水を熱交換させて淡水を生産する淡水化設備に熱源を供給するために使用されるか、リビングクォーター（ｌｉｖｉｎｇ  ｑｕａｒｔｅｒ）に温水を供給するために使用され得る。
【００８６】
また、蒸発式又は逆浸透式海水淡水化プラント２０、３０で生産された淡水は、発電プラントで高温の蒸気を発生させるための源水として供給されるか、他の様々な用途に使用され得る。
【００８７】
また、前記のような蒸発式海水淡水化プラントと逆浸透式海水淡水化プラントとは、共に、バージ船に搭載されて複合式で使用され得る。この場合、現場の状況により適したプラントを使用して淡水を生産することができ、大容量の淡水を生産することもできる。また前記複合式の海水淡水化プラントに発電プラントを追加して設置すると、前記図９に説明したように電気及び蒸気などを效率的に使用できるようになる。
【００８８】
本発明の実施形態によるバージ船搭載式海水淡水化プラントによれば、バージ船上に海水淡水化プラントが搭載される構成なので、建造した後に海上で移動できるので、水不足地域や島地域の海岸に設置されることによって国内外から石炭及び天然ガスなどの燃料供給源を円滑に確保することができる上、場所と状況に応じて移動しながら使用することができる。また、本発明の実施形態によるバージ船搭載式海水淡水化プラントによれば、従来の陸上固定式海水淡水化プラントにかかる建設用地の購入費用及び基礎工事費用に比べてバージ船の建造にかかる費用の方が少なくて済み、従来の方法に比べて建造時間が短縮される。また、本発明の実施形態によるバージ船搭載式海水淡水化プラントによれば、造船所でバージ船搭載式海水淡水化プラントを完成させて設置場所へ移動するため、現地で建設エンジニアを含む作業人材を確保する負担が減少し、現地の気象条件や作業条件に関係なく建造することができる。また、本発明の実施形態によるバージ船搭載式海水淡水化プラントによれば、海水淡水化プラントを設置しようとする地域の山林が破壊されることを回避することができ、施設周辺を汚染させる憂いが無くなる長所がある。
【００８９】
また、発電プラントを共に上記の海水淡水化プラントに設置すると、発電プラントで生成された電気と蒸気、海水淡水化プラントで生産された淡水などを互いに利用して発電プラント及び海水淡水化プラントの効率を上げることができ、余分な電気を陸上に提供できるという経済的な利点がある。
【００９０】
以上、本発明を特定の実施形態を中心に説明したが、本発明の趣旨及び添付された特許請求の範囲内での様々な変形、変更又は修正が、本発明の属する技術分野ではあり得る。したがって、上述した説明及び図面は本発明の技術思想を限定するものでなく、本発明を例示するものとして解釈されるべきである。
【図１】
2013151285.tif 000003
【図２】
2013151285.tif 000004
【図３】
2013151285.tif 000005
【図４】
2013151285.tif 000006
【図５】
2013151285.tif 000007
【図６】
2013151285.tif 000008
【図７】
2013151285.tif 000009
【図８】
2013151285.tif 000010
【図９】
2013151285.tif 000011